(57)【要約】【課題】携帯電話機を持って外出しているときに、運悪く携帯電話機のバッテリーが消耗して使えなくなった場合に、身近に電源コンセントがなかったり、重くて嵩の高い充電器を持ち歩いていない等の従来の問題点を解消し、携帯電話機の緊急避難的充電を便利よく且つ速やかに行うことが可能な携帯電話機の提供を課題とする。【解決手段】携帯電話機本体１の一部に、バッテリーを充電するための電力導入用接続端子として、パソコン等のコンピュータのＵＳＢ出力端子に接続させることができるＵＳＢ接続端子３を備えてなる携帯電話機である。【選択図】　　　　図１
0003098622.tif 000002
【実用新案登録請求の範囲】
【請求項１】
携帯電話機本体の一部に、バッテリーを充電するための電力導入用接続端子として、パソコン等のコンピュータのＵＳＢ出力端子に接続させることができるＵＳＢ接続端子を備えてあることを特徴とする携帯電話機。
【請求項２】
ＵＳＢ接続端子は、携帯電話機本体内に収納された収納位置と、コンピュータのＵＳＢ出力端子に接続可能な突出位置との間で移動自在に構成してあることを特徴とする請求項１に記載の携帯電話機。
【請求項３】
ＵＳＢ接続端子は収納位置と突出位置との間で回動自在に構成したことを特徴とする請求項２に記載の携帯電話機。
【請求項４】
ＵＳＢ接続端子は収納位置と突出位置との間で進退自在に構成したことを特徴とする請求項２に記載の携帯電話機。
【請求項５】
ＵＳＢ接続端子は携帯電話機本体から繰り出し自在に構成したことを特徴とする請求項１〜４の何れかに記載の携帯電話機。
【考案の詳細な説明】
【０００１】
【考案の属する技術分野】
本考案は携帯電話機に関する。
【０００２】
【従来の技術】
現在出回っている携帯電話機は、一般にはバッテリー（電池）を電源として用いており、その電池が消耗してしまうと使用不能に陥る。このため使用者は携帯電話機を適当な時点で充電器にセットして、前記バッテリーを充電する必要がある。
前記携帯電話機の充電は、典型的には、家庭内等の室内の交流電源コンセントに対して充電器を接続し、この充電器に携帯電話機を載置する形にセットすることで、電磁的に携帯電話機の充電を行う仕方である。
また他の充電の仕方としては、携帯電話機のバッテリー充電用端子に対して、家庭内等の室内に引かれている交流電源コンセントからＡＣ／ＤＣ変換器等を介して電力を供給することで充電を行う方式がある。
【０００３】
【考案が解決しようとする課題】
ところが携帯電話機を持って外出しているときに、運悪くバッテリーが切れてしまった場合、通常において身近には電源コンセントがないので充電することができない。特に最近のカメラ付き携帯電話機や動画送信機能などの高付加機能付き携帯電話機等、電力消費の増大化が進んでいることから、外出時にバッテリー切れを起こすことが多くなる傾向にある。
また電源コンセントがあっても、重くて嵩の高いＡＣ／ＤＣ変換機を備えた充電器を一緒に持ち歩くことはないので、充電ができない。更に充電器を持っていても交流電源からの充電には時間がかかる問題がある等、外出時におけるバッテリー切れは致命的であった。
【０００４】
一方、ＵＳＢ端子から電力供給を受けて携帯電話機等の機器の充電を図ることが可能な手段として、一端側の接続端子をＵＳＢ接続端子とすると共に、他端側の接続端子を被充電器器に合った接続端子としたケーブルが提供されている（特開２０００−２０１２０４）。このケーブルを用いれば、パソコン等のコンピュータのＵＳＢ出力端子から直流電力の供給を受けて携帯電話機の充電を行うことはできる。
しかしながら前記ケーブルは、あくまでもケーブルであって、このようなケーブルを外出時にいつも一緒に携帯するのは非常に面倒なことである。
【０００５】
そこで本考案は上記従来の問題点を解消し、外出時に携帯電話機のバッテリーが切れた場合等において、緊急避難的充電を便利よく速やかに行うことが可能な携帯電話機の提供を課題とする。
【０００６】
【課題を解決するための手段】
上記課題を達成するため、本考案の携帯電話機は、携帯電話機本体の一部に、バッテリーを充電するための電力導入用接続端子として、パソコン等のコンピュータのＵＳＢ出力端子に接続させることができるＵＳＢ接続端子を備えてあることを第１の特徴としている。
また本考案の携帯電話機は、上記第１の特徴に加えて、ＵＳＢ接続端子は、携帯電話機本体内に収納された収納位置と、コンピュータのＵＳＢ出力端子に接続可能な突出位置との間で移動自在に構成してあることを第２の特徴としている。
また本考案の携帯電話機は、上記第２の特徴に加えて、ＵＳＢ接続端子は収納位置と突出位置との間で回動自在に構成したことを第３の特徴としている。
また本考案の携帯電話機は、上記第２の特徴に加えて、ＵＳＢ接続端子は収納位置と突出位置との間で進退自在に構成したことを第４の特徴としている。
また本考案の携帯電話機は、上記第１〜４の何れかの特徴に加えて、ＵＳＢ接続端子は携帯電話機本体から繰り出し自在に構成したことを第５の特徴としている。
【０００７】
上記第１の特徴によれば、携帯電話機を持って外出中等において該電話機がバッテリー切れとなった場合、例えばそこが職場においては該職場にあるパソコン（コンピュータ）を借りることで、自己の携帯電話機に備えてあるＵＳＢ接続端子をパソコンのＵＳＢ出力端子に接続し、これによってパソコンから直流電力の供給を受け、携帯電話機の緊急避難的充電ができる。
またバッテリー切れの場所が街中であっても、最近はインターネットカフェやその他のパソコンを時間貸しする場所等が多数あることから、パソコンが使用できる場所に容易に行き着くことができ、そこで携帯電話機に備え付けのＵＳＢ接続端子を用いて、緊急避難的充電を容易に図ることが可能となる。
最近のほとんどのパソコンにはＵＳＢ端子が備えられており、且つ外出先の至るところに使用可能なパソコンがある。時間貸しのパソコンであれば使用に大きな問題は生じないし、それ以外のパソコンの場合には、所有者に充電使用の許可を得ればよい。
またＵＳＢ端子を用いた充電の場合には、重くて嵩の高い交流直流変換機を介在させる必要としないので、携帯電話機が重くなることもない。
勿論、ＵＳＢ端子を用いたパソコンからの携帯電話機の充電は、緊急避難的ではなく通常の充電であってもよく、速やかな充電が可能である。
よって本考案の第１の特徴による携帯電話機によれば、外出時に携帯電話機のバッテリーが切れた場合等においても、最近では比較的簡単に行き着くことができる街中等にある使用可能なパソコンを利用して、携帯電話機本体の一部に備えられたＵＳＢ接続端子をパソコンのＵＳＢ出力端子に接続することで、便利に、簡単に緊急避難的充電を行うことが可能となる。
【０００８】
また上記第２の特徴によれば、上記第１の特徴による作用効果に加えて、携帯電話機本体に備えられたＵＳＢ接続端子は、充電に際して、携帯電話機本体内の収納位置から突出位置まで移動され、該突出位置にてコンピュータのＵＳＢ出力端子に接続される。充電が終了すると、コンピュータとの接続をはずされたＵＳＢ接続端子は突出位置から収納位置まで移動されて、携帯電話機内に収容される。
よって本考案の第２の特徴に携帯電話機によれば、ＵＳＢ接続端子は充電に必要なときにだけ携帯電話機本体から突出させ、それ以外は携帯電話機本体内にしまっておくことができる。
【０００９】
上記第３の特徴によれば、上記第２の特徴による作用効果に加えて、ＵＳＢ接続端子は回動によって携帯電話機本体の収納位置と突出位置との間を移動させることができる。
よって本考案の第３の特徴によれば、携帯電話機本体の限られたスペースの中で、回動に適した形のスペースを利用して、ＵＳＢ接続端子を回動自在に取り付け、充電に供することができる。
【００１０】
上記第４の特徴によれば、上記第２の特徴による作用効果に加えて、ＵＳＢ接続端子は進退することによって携帯電話機本体の収納位置と突出位置との間を移動させることができる。
よって本考案の第４の特徴によれば、携帯電話機本体の限られたスペースの中から、進退に適した形のスペースを利用して、ＵＳＢ接続端子を進退自在に取り付け、充電に供することができる。
【００１１】
上記第５の特徴によれば、上記第１〜第４の何れかの特徴による作用効果に加えて、ＵＳＢ接続端子を携帯電話本体から繰り出して、延長させることができる。このため、コンピュータと携帯電話機とを十分には近接させることができない場合であっても、前記携帯電話機からＵＳＢ接続端子を繰り出し、延長したＵＳＢ接続端子でコンピュータのＵＳＢ出力端子に接続して充電を行うことができる。
【００１２】
【考案の実施の形態】
以下の図面を参照して、本考案の実施形態を説明する。
図１、図２は本考案の第１の実施形態を示し、図１は携帯電話機本体の操作ボタン等が設けられていない裏面側を示す斜視図、図２は図１のＵＳＢ接続端子収納部の水平断面を示す概略図である。また図３〜図６は本考案の第２の実施形態を示し、図３は携帯電話機本体の操作ボタン等が設けられた正面側を示す一部省略斜視図、図４は携帯電話機本体の要部の拡大図。図５はＵＳＢ接続端子の収納ケースの例を示す斜視図、図６はＵＳＢ接続端子の例を示す斜視図である。
【００１３】
図１、図２を参照して、本考案の第１の実施形態を説明する。
携帯電話機本体１の裏面１ａにＵＳＢ接続端子収納部２が設けられている。前記裏面１ａとは携帯電話機本体１の操作ボタンの設けられていない方の面である。携帯電話機本体１が、図１に示すように折り畳み式の場合は、ＵＳＢ接続端子収納部２はその何れか一方の裏面１ａに設けられることとなるが、通常はバッテリーがセットされる方に設けられる。
前記ＵＳＢ接続端子収納部２にＵＳＢ接続端子３が備えられる。
【００１４】
前記携帯電話機本体１のＵＳＢ接続端子収納部２は、開閉扉２１内に収納ケース２２が構成されている。通常時においては、ＵＳＢ接続端子３は開閉扉２１の中の収納ケース２２内に収納されている。
ＵＳＢ接続端子３は、使用に際しては、図２の実線で示す収納位置から２点鎖線で示す（図１では実線で示す）突出位置まで回動される。突出位置ではＵＳＢ接続端子３の実際の接続部３１が携帯電話機本体１から直角方向に完全に突出して、コンピュータのＵＳＢ出力端子に接続可能な状態となる。よってこの突出状態において、ＵＳＢ接続端子３を図示しないコンピュータのＵＳＢ出力端子に接続し、電力の供給を受けて充電を行うことができる。
前記ＵＳＢ接続端子３の回動は、前記収納位置と突出位置とを回動終端とした図示しない枢軸を用いた周知技術で構成することができる。
前記ＵＳＢ接続端子３は、図示しないケーブル或いはその他の電気接続手段によって、携帯電話機本体１内にセットされたバッテリーに直接的に或いは間接的に電気接続されている。
【００１５】
なお前記開閉扉２１は、例えば蝶番式に回動されて開かれるように構成してもよいし、スライド式としてもよい。また取り外しができるように構成してもよい。
またＵＳＢ接続端子３は、図１、図２では、該ＵＳＢ接続端子３の厚み面（側面）が携帯電話機本体１の裏面１ａに平行となるような姿勢に収納される構成になっている。が、ＵＳＢ接続端子３の表裏面が携帯電話機本体１の裏面１ａに平行（厚み面が携帯電話機本体１裏面１ａに垂直）となるような姿勢に収納される構成としてもよい。
またＵＳＢ接続端子３は、前記突出位置から更に携帯電話機本体１外へ繰り出すことができるようにしてもよい。この場合、ＵＳＢ接続端子３は該ＵＳＢ接続端子３の基端側に取り付けられたケーブルと共に繰り出されることなる。
【００１６】
図３〜図６を参照して本考案の第２の実施形態を説明する。
この実施形態では、ＵＳＢ接続端子３は、携帯電話機本体１の側面１ｂに、突出自在に備えられる。即ち、ＵＳＢ接続端子収納部２の開閉扉２１を伴った開口が携帯電話機本体１の側面１ｂに設けられており、ＵＳＢ接続端子３はその側面１ｂの開口を介して進退自在に構成されている。
【００１７】
前記前記ＵＳＢ接続端子３は、通常時においては、携帯電話機本体１内に構成された収納ケース２２内に後退した状態で収納されている。使用時には、前記ＵＳＢ接続端子収納部２の開閉扉２１を開き、ＵＳＢ接続端子３の先端部を一回押すと、ＵＳＢ接続端子３が図３に示す状態（突出位置）まで進出する。
【００１８】
図５を参照して、前記収納ケース２２には、例えば収納されているＵＳＢ接続端子３を後方から突出方向に付勢する付勢バネ２２ａを設け、またＵＳＢ接続端子３が前方へ突出する際に一定以上は突出しないように規制する停止壁２２ｂを設けている。
【００１９】
また図６を参照して、前記ＵＳＢ接続端子３には、例えば前記収納ケース２２の停止壁２２ｂに当接する段部３２を設け、段部３２が停止壁２２ｂに当接した時点でＵＳＢ接続端子３の進出が停止されるようにしている。
またＵＳＢ接続端子３には、突出されたＵＳＢ接続端子３をコンピュータのＵＳＢ出力端子に接続する際に、ＵＳＢ接続端子３が収納ケース２２内に後退してしまうのを防止するための後退防止突起３３を設けることができる。この後退防止突起３３はＵＳＢ接続端子３の側面から突出方向にバネ付勢されて設けられており、突出位置にあるＵＳＢ接続端子３を収納ケース２２内へ戻す際には、前記後退防止突起３３を手で押さえて一時的に壁面内に後退させた状態でＵＳＢ接続端子３を収納ケース２２内に戻す。
【００２０】
前記ＵＳＢ接続端子３が進出したり後退したりする際に、ＵＳＢ接続端子３のケーブル３４がだぶついたり、もつれたりしないように、図４を参照して、ケーブル３４を巻取り方向に付勢する巻取器４を携帯電話機本体１内に設けてもよい。前記ＵＳＢ接続端子３のケーブル３４は、最終的には携帯電話機本体１内にセットされた図示しないバッテリーに直接的に或いは間接的に電気接続されている。
【００２１】
前記ＵＳＢ接続端子２１は、図３に示す突出位置から、更に携帯電話機本体１外へ繰り出すことができるように構成することができる。ＵＳＢ接続端子３を携帯電話機本体１から繰り出し自在とすることで、携帯電話機とコンピュータのＵＳＢ出力端子とを十分に近接させることができない場合であっても、延長されたＵＳＢ接続端子３を容易にコンピュータにＵＳＢ出力端子に接続して、充電を行うことができる。
【００２２】
上記第１の実施形態ではＵＳＢ接続端子３は収納位置と突出位置との間で回動自在とし、また第２の実施形態ではＵＳＢ接続端子３は収納位置と突出位置との間で進退自在としたが、その他、ＵＳＢ接続端子３は収納位置と突出位置との間で移動自在に構成することができる。
【００２３】
【考案の効果】
本考案は以上の構成、作用よりなり、請求項１に記載の携帯電話機によれば、携帯電話機本体の一部に、バッテリーを充電するための電力導入用接続端子として、パソコン等のコンピュータのＵＳＢ出力端子に接続させることができるＵＳＢ接続端子を備えてあるので、
外出時に携帯電話機のバッテリーが切れた場合等においても、最近では街中でも比較的簡単に見つけることができる使用可能なパソコン等のコンピュータを利用して、コンピュータのＵＳＢ出力端子から便利に、速やかに電力を供給して緊急避難的充電を行うことが可能となる。勿論、コンピュータから供給される電力は直流であるので、交流直流変換器等を携帯電話機に搭載する必要もないので、携帯電話機の重量増加も僅かですむ。
また請求項２に記載の携帯電話機によれば、上記請求項１に記載の構成による効果に加えて、ＵＳＢ接続端子は、携帯電話機本体内に収納された収納位置と、コンピュータのＵＳＢ出力端子に接続可能な突出位置との間で移動自在に構成してあるので、
ＵＳＢ接続端子は充電に必要なときにだけ携帯電話機本体から突出させ、それ以外は携帯電話機本体内にしまっておくことができる。
また請求項３に記載の携帯電話機によれば、上記請求項２に記載の構成による効果に加えて、ＵＳＢ接続端子は収納位置と突出位置との間で回動自在に構成したので、
携帯電話機本体の限られたスペースの中で、回動に適した形のスペースを利用して、ＵＳＢ接続端子を回動自在に取り付け、充電に供することができる。
また請求項４に記載の携帯電話機によれば、上記請求項２に記載の構成による効果に加えて、ＵＳＢ接続端子は収納位置と突出位置との間で進退自在に構成したので、
携帯電話機本体の限られたスペースの中から、進退に適した形のスペースを利用して、ＵＳＢ接続端子を進退自在に取り付け、充電に供することができる。
また請求項５に記載の携帯電話機によれば、上記請求項１〜４の何れかに記載の構成による効果に加えて、ＵＳＢ接続端子は携帯電話機本体から繰り出し自在に構成したので、
携帯電話機をコンピュータに十分には近接させることができないような場合であっても、携帯電話機からＵＳＢ接続端子を繰り出し、延長したＵＳＢ接続端子でコンピュータのＵＳＢ出力端子に接続して充電を行うことができる。
【図面の簡単な説明】
【図１】本考案の第１の実施形態に係る携帯電話機本体の操作ボタン等が設けられていない裏面側を示す斜視図である。
【図２】図１のＵＳＢ接続端子収納部の水平断面を示す概略図である。
【図３】本考案の第２の実施形態に係る携帯電話機本体の操作ボタン等が設けられた正面側を示す一部省略斜視図である。
【図４】本考案の第２の実施形態に係る携帯電話機本体の要部の拡大図である。
【図５】本考案の第２の実施形態に係る携帯電話機本体のＵＳＢ接続端子の収納ケースの例を示す斜視図である。
【図６】本考案の第２の実施形態に係る携帯電話機本体のＵＳＢ接続端子の例を示す斜視図である。
【符号の説明】
１　　　携帯電話機本体
１ａ　　携帯電話機本体の裏面
１ｂ　　携帯電話機本体の側面
２　　　ＵＳＢ接続端子収納部
３　　　ＵＳＢ接続端子
４　　　巻取器
２１　　ＵＳＢ接続端子収納部の開閉扉
２２　　ＵＳＢ接続端子収納部の収納ケース
２２ａ　収納ケースの付勢バネ
２２ｂ　収納ケースの停止壁
３１　　ＵＳＢ接続端子の接続部
３２　　ＵＳＢ接続端子の段部
３３　　ＵＳＢ接続端子の後退防止突起
３４　　ＵＳＢ接続端子のケーブル
【図１】
0003098622.tif 000003
【図２】
0003098622.tif 000004
【図３】
0003098622.tif 000005
【図４】
0003098622.tif 000006
【図５】
0003098622.tif 000007
【図６】
0003098622.tif 000008